【手続補正書】
【提出日】平成20年8月12日(2008.8.12)
【手続補正１】
【補正対象書類名】明細書
【補正対象項目名】特許請求の範囲
【補正方法】変更
【補正の内容】
【特許請求の範囲】
【請求項１】  符号化画像データと、当該符号化画像データを再生する際の当該符号化画像データのサイズに応じて用意された付加情報を符号化することで得られる符号化付加情報データとを含む符号化データ列を復号する画像処理装置であって、
前記符号化データ列に含まれる前記符号化画像データから、大きさの異なる複数の画像データを選択的に復号可能な画像データ復号手段と、
前記符号化データ列に含まれる前記符号化付加情報データから、前記画像データ復号手段により復号される画像データに応じた付加情報データを復号する付加情報データ復号手段と、
前記画像データ復号手段により得られる画像データと、当該画像データに応じた付加情報データとを合成する合成手段と
を備えることを特徴とする画像処理装置。
【請求項２】  更に、所定のサイズを有するタイルに分割された前記付加情報データと、前記画像データから、夫々のタイルを結合することで、元の付加情報データ、画像データを復元するタイル結合手段を備えることを特徴とする請求項１に記載の画像処理装置。
【請求項３】  更に、前記画像データ復号手段により復号された画像データを、次に前記画像データ復号手段が復号する画像データの大きさと同じ大きさに変倍する変倍手段を備え、
前記合成手段は、前記変倍手段により変倍された画像データと、当該画像データに応じた前記付加情報データ復号手段により復号された付加情報データとを合成することを特徴とする請求項１又は２に記載の画像処理装置。
【請求項４】  前記付加情報データは、前記符号化画像データを再生する際に、前記符号化画像データのサイズに応じて用意された付加画像であることを特徴とする請求項１乃至３のいずれか１項に記載の画像処理装置。
【請求項５】  前記付加情報データは、前記符号化画像データを再生する際に、前記符号化画像データのサイズに応じて用意された文字情報であって、当該文字情報は、文字列情報と、当該文字列を所定の表示手段に表示する際の表示位置と、当該文字列のフォントのサイズとを含み、
前記合成手段は、前記文字情報をラスタ化して２値画像データを生成し、当該２値画像データと、前記画像データ復号手段により得られる画像データとを合成することを特徴とする請求項１に記載の画像処理装置。
【請求項６】  前記付加情報データは、前記符号化画像データを再生する際に、前記符号化画像データのサイズに応じて用意された文字情報と線・図形情報であって、
当該文字情報は、文字列と、当該文字列を所定の表示手段に表示する際の表示位置と、当該文字列のフォントのサイズとを含み、
当該線・図形情報は、形状情報、始点座標、終点座標、形状情報、中心座標、半径のうちいずれかを含み、
前記合成手段は、前記文字情報をラスタ化して２値画像データを生成し、当該２値画像データに対して前記線・図形情報を用いて線・図形を配置し、前記画像データ復号手段により得られる画像データと合成することを特徴とする請求項１に記載の画像処理装置。
【請求項７】  画像データに対して符号化を行うことで、当該画像データに対して夫々大きさの異なる自己相似画像を表現可能な符号化データを生成する画像データ符号化手段と、
夫々の前記自己相似画像に関係づけられた付加情報データの符号化データを生成する付加情報データ符号化手段と、
前記画像データ符号化手段による符号化データと、前記付加情報データ符号化手段による符号化データとが含まれる符号化データ列を生成すると共に、当該符号化データ列内における前記自己相似画像の符号化データと、前記付加情報の符号化データの所在を特定する情報が記載されたヘッダを前記符号化データ列に含める符号化データ列生成手段と
を備えることを特徴とする画像処理装置。
【請求項８】  更に、前記付加情報データと、前記画像データを所定のサイズを有するタイル毎に分割するタイル分割手段を備えることを特徴とする請求項７に記載の画像処理装置。
【請求項９】  前記画像データ符号化手段はウェーブレット変換を行い、前記自己相似画像の符号化データは、前記ウェーブレット変換によるサブバンド毎の符号化データであることを特徴とする請求項７又は８に記載の画像処理装置。
【請求項１０】  前記付加情報データ符号化手段は算術符号化を用いることを特徴とする請求項７に記載の画像処理装置。
【請求項１１】  前記付加情報データは、前記符号化画像データを再生する際に、前記符号化画像データのサイズに応じて用意された付加画像であることを特徴とする請求項７に記載の画像処理装置。
【請求項１２】  前記付加情報データは、前記符号化画像データを再生する際に、前記符号化画像データのサイズに応じて用意された文字情報であって、当該文字情報は、文字列と、当該文字列を所定の表示手段に表示する際の表示位置と、当該文字列のフォントのサイズとを含むことを特徴とする請求項７に記載の画像処理装置。
【請求項１３】  前記付加情報データは、前記符号化画像データを再生する際に、前記符号化画像データのサイズに応じて用意された文字情報と線・図形情報であって、
当該文字情報は、文字列と、当該文字列を所定の表示手段に表示する際の表示位置と、当該文字列のフォントのサイズとを含み、
当該線・図形情報は、形状情報、始点座標、終点座標、形状情報、中心座標、半径のうちいずれかを含むことを特徴とする請求項７に記載の画像処理装置。
【請求項１４】  符号化画像データと、当該符号化画像データを再生する際の当該符号化画像データのサイズに応じて用意された付加情報を符号化することで得られる符号化付加情報データとを含む符号化データ列を復号する画像処理方法であって、
前記符号化データ列に含まれる前記符号化画像データから、大きさの異なる複数の画像データを選択的に復号可能な画像データ復号工程と、
前記符号化データ列に含まれる前記符号化付加情報データから、前記画像データ復号工程で復号される画像データに応じた付加情報データを復号する付加情報データ復号工程と、
前記画像データ復号工程で得られる画像データと、当該画像データに応じた付加情報データとを合成する合成工程と
を備えることを特徴とする画像処理方法。
【請求項１５】  更に、所定のサイズを有するタイルに分割された前記付加情報データと、前記画像データから、夫々のタイルを結合することで、元の付加情報データ、画像データを復元するタイル結合工程を備えることを特徴とする請求項１４に記載の画像処理方法。
【請求項１６】  更に、前記画像データ復号工程で復号された画像データを、次に前記画像データ復号工程で復号する画像データの大きさと同じ大きさに変倍する変倍工程を備え、
前記合成工程では、前記変倍工程で変倍された画像データと、当該画像データに応じた前記付加情報データ復号手段により復号された付加情報データとを合成することを特徴とする請求項１４又は１５に記載の画像処理方法。
【請求項１７】  画像データに対して符号化を行うことで、当該画像データに対して夫々大きさの異なる自己相似画像を表現可能な符号化データを生成する画像データ符号化工程と、
夫々の前記自己相似画像に関係づけられた付加情報データの符号化データを生成する付加情報データ符号化工程と、
前記画像データ符号化工程による符号化データと、前記付加情報データ符号化工程による符号化データとが含まれる符号化データ列を生成すると共に、当該符号化データ列内における前記自己相似画像の符号化データと、前記付加情報の符号化データの所在を特定する情報が記載されたヘッダを前記符号化データ列に含める符号化データ列生成工程と
を備えることを特徴とする画像処理方法。
【請求項１８】  更に、前記付加情報データと、前記画像データを所定のサイズを有するタイル毎に分割するタイル分割工程を備えることを特徴とする請求項１７に記載の画像処理方法。
【請求項１９】  コンピュータを請求項１乃至１３のいずれか１項に記載の画像処理装置が有する各手段として機能させるためのプログラム。
【請求項２０】  請求項１９に記載のプログラムを格納した、コンピュータが読み取り可能な記憶媒体。